(57)【要約】【課題】本発明は、成型品、特に表面に皮革、織物又は布を有する成型品に関する。本発明の目的は、柔軟層が基板から分離することを防止する成型品を提供することである。【解決手段】本発明の成型品は、相対向する第一表面及び第二表面、前記第一表面及び前記第二表面に隣接する端面を備える基板と、前記基板の第一表面に設置され、皮革、織物、布の中の何れか一種から構成し、且つ前記基板の端面の少なくも一部分を被覆する柔軟層と、を備える。【選択図】図２
2009154539.tif 000002
【特許請求の範囲】
【請求項１】
互いに対向する第一表面及び第二表面と、前記第一表面及び前記第二表面に隣接する端面とを備えている基板と、
前記基板の前記第一表面に設置され、且つ皮革、織物、布のうちいずれか１つによって構成されている柔軟層と、
を備えており、
前記柔軟層が前記基板の前記端面の少なくも一部分を被覆していることを特徴とする成型品。
【請求項２】
前記端面と前記第一表面とが接合する部位又は前記端面と前記第二表面とが接合する部位に切欠部が開設され、前記柔軟層の前記端部が前記切欠部内に設置されていることを特徴とする請求項１に記載の成型品。
【請求項３】
前記柔軟層が第二表面の一部分を被覆していることを特徴とする請求項１に記載の成型品。
【請求項４】
前記基板は射出成型によって成型されていることを特徴とする請求項１に記載の成型品。
【請求項５】
前記基板の材料が、プラスチック、ゴム、シリコーンのうちいずれか１つであることを特徴とする請求項４に記載の成型品。
【請求項６】
前記柔軟層は、複数の微小な凹凸部を有する粗面を含み、
前記基板の一部分が前記柔軟層の微小な凹部内に嵌合されていることを特徴とする請求項１に記載の成型品。
【請求項７】
前記基板と前記柔軟層とが互いに浸透して結合することを特徴とする請求項１に記載の成型品。
【請求項８】
前記織物が、綿織物、繊維織物、プラスチック織物中のうちいずれか１つであることを特徴とする請求項１に記載の成型品。
【請求項９】
前記柔軟層は、人造皮革、綿織物、ナイロン布のうちいずれか１つによって構成されており、
前記基板は、アクリロニトリルブタジエンスチレン又はポリカーボネートによって構成されていることを特徴とする請求項１に記載の成型品。
【発明の詳細な説明】
【技術分野】
【０００１】
本発明は、成型品に関し、特に表面に皮革、織物又は布を有する成型品に関する。
【背景技術】
【０００２】
技術の発展に伴って、携帯電話、ノートパソコン、携帯情報端末(Personal Digital Assistant、ＰＤＡと略称)などの電子装置が広く使用されている。使用者は、電気装置の各種の機能を求めるばかりでなく、電子装置の外観及び手触りに対しても新しいことを要求している。
【０００３】
電子装置の外部には、電子装置の各種の部品を保護するハウジングが設置されている。ハウジングは、通常プラスチックを材料とし、射出成型方法で製造したものである。射出成型方法で製造した成型品は、軽量で、製造コストが安く、製造方法が簡単であるという利点を有しているので、様々な技術分野において広く使用されている。成型品の手触りを向上させる一方、外観を美しくするために、一般的には成型品の表面に皮革又は織物などを形成している。
【０００４】
図１は、従来技術のハウジング５０の断面図である。ハウジング５０は、柔軟層５２及び基板５４を含んでいる。柔軟層５２は、射出成型によって基板５４の表面に直接形成されている。
【０００５】
しかし、柔軟層５２と基板５４との接合部の辺縁が前記ハウジング５０の外部に露出するので、外力の作用によって、柔軟層５２が基板５４から分離し易く、外部環境の水分又は埃等も柔軟層５２と基板５４との接合部の辺縁から進入し易いので、柔軟層５２が基板５４から脱落する場合があり、この場合には電子装置の外観品質に影響を及ぼす。
【発明の開示】
【発明が解決しようとする課題】
【０００６】
以上の問題点に鑑みて、本発明の目的は、柔軟層が基板から分離することを防止する成型品を提供することである。
【課題を解決するための手段】
【０００７】
上述の問題を解決するために、本発明に係る成型品は、互いに対向する第一表面及び第二表面と第一表面及び第二表面に隣接する端面とを備えている基板と、基板の第一表面に設置され、皮革、織物、布のうちいずれか１つによって構成され、且つ、基板の端面の少なくも一部分を被覆している柔軟層と、を備えている。
【発明の効果】
【０００８】
本発明の成型品において、柔軟層が基板の端面を被覆するので、柔軟層が外力を受けたとしても、基板から容易に分離することが防止される。また、外部環境の水分又は埃等も、柔軟層と基板との辺縁から容易に進入することができないので、柔軟層が基板から脱落することを防止することができる。
【発明を実施するための最良の形態】
【０００９】
以下、図面に基づいて、本発明の実施形態に係る成型品に対して詳細に説明する。
【００１０】
図２は本発明の第一実施形態に係る成型品１０の断面図であり、図３は図２のＩＩＩ部分の拡大図である。成型品１０は、柔軟層１２及び基板１４を含んでいる。
【００１１】
柔軟層１２は、天然皮革、人造皮革のような皮革、綿織物、繊維織物、プラスチック織物のような織物、ナイロン布のような布のうちいずれか１つによって構成されている。本実施形態において、好ましくは、人造皮革、綿織物又はナイロン布のうちいずれか１つによって、柔軟層１２が構成されている。
【００１２】
柔軟層１２は、基板１４の表面と接着する接着面１２２を含んでいる。接着面１２２は、複数の微小な凹凸部を有している粗面である。柔軟層１２の異なる材料によって、接着面１２２自身を粗面とすることができ、又は接着面１２２に対して表面研磨などの工程を実施して粗面を形成することができる。
【００１３】
基板１４は、主体部１４２と、別々に主体部１４２の両端から折曲延伸する２つ側部１４４とを含んでいる。基板１４が一定な厚さを有しているので、側部１４４の辺縁に端面が形成されている。基板１４は、射出成型方法で射出して形成されている。基板１４の材料として、プラスチック、ゴム、シリコーンなどを採用することができる。このようなプラスチック材料としては、ポリ塩化ビニル樹脂（Ｐｏｌｙｖｉｎｙｌ  Ｃｈｌｏｒｉｄｅ、ＰＶＣ）、ポリエチレンテレフタレート（Ｐｏｌｙｅｔｈｙｌｅｎｅ  Ｔｅｒｅｐｈｔｈａｌａｔｅ、ＰＥＴ）、アクリロニトリルブタジエンスチレン共重合体（Ａｃｒｙｌｏｎｉｔｏｒｉｌｅ  Ｂｕｔａｄｉｅｎｅ Ｓｔｙｒｅｎｅ、ＡＢＳ）、ポリカーボネート（Ｐｏｌｙｃａｒｂｏｎａｔｅ、ＰＣ）、ポリイミド（Ｐｏｌｙｉｍｉｄｅ、ＰＩ)、液晶高分子（Ｌｉｑｕｉｄ  Ｃｒｙｓｔａｌ  Ｐｏｌｙｍｅｒ、ＬＣＰ)、ポリエーテルイミド（Ｐｏｌｙｅｔｈｅｒｉｍｉｄｅ、ＰＥＩ）、ポリフェニレンサルファイド（Ｐｏｌｙｐｈｅｎｙｌｅｎｅ  Ｓｕｌｆｉｄｅ、ＰＰＳ)、ポリスチレン（Ｐｏｌｙｓｔｙｒｅｎｅ、ＰＳ)、ポリプロピレン（Ｐｏｌｙｐｒｏｐｙｌｅｎｅ、ＰＰ)等を単独又は混合したものを用いることができる。基板１４の材料は、好ましくはアクリロニトリルブタジエンスチレン（ＡＢＳ）又はポリカーボネート（ＰＣ）から構成されている。
【００１４】
射出成型方法によって、基板１４の主体部１４２及び２つの側部１４４の外表面と、２つの側部の端面に前記柔軟層１２とを接着する。射出成型の過程で、基板１４を形成する溶融された材料が接着面１２２の微小な凹部に嵌合されるので、基板１４と柔軟層１２との接着面積を増加する一方、両者間の接着力が強くなるので、両者の接着効果が高められる。
【００１５】
図４は、本発明の第二実施形態に係る成型品１００の断面図である。成型品１００の構造は、本発明の第一実施形態に係る成型品１０の構造と略同一である。即ち、成型品１００は、柔軟層１２０及び基板１４０を含んでいる。基板１４０は、主体部１４２０と、別々に主体部１４２０の両端から折曲延伸する２つの側部１４４０とを含んでいる。柔軟層１４２０は、基板１４０の表面に設置されている。
【００１６】
本発明の第一実施形態に係る成型品１０と比較して、本実施形態に係る成型品１００において、側部１４４０の端面１４４６と側部１４４０の外表面が接合する所に切欠部１４４８が設置されている。基板１４０と柔軟層１２０とを接着する場合には、柔軟層１２０の端部を切欠部１４４８内に嵌合し、柔軟層１２０によって基板１４０の端面の一部分を被覆する。
【００１７】
図５は、本発明の第三実施形態に係る成型品３００の断面図である。成型品３００は、基板３４０及び柔軟層３２０を含んでいる。
【００１８】
基板３４０は、互いに対向する第一表面３４２及び第二表面３４４を含んでいる。一定厚さを有している基板３４０は、第一表面３４２と第二表面３４４との間に位置し、且つ基板３４０の両端で第一表面３４２及び第二表面３４４に交差する２つの端面３４６を更に含んでいる。成型品３００において、柔軟層３２０は、基板３４０の第一表面３４２と、２つの端面３４６及び第二表面３４４における２つの端面３４６に近付く一部分を被覆している。
【００１９】
なお、第三実施形態の成型品３００において、柔軟層３２０は、基板３４０の第二表面３４４、２つの端面３４６及び第一表面３４２における２つの端面３４６に近付く一部分を被覆してもよい。
【００２０】
図６は、本発明の第四実施形態に係る成型品４００の断面図である。成型品４００の構造は、本発明の第二実施形態に係る成型品１００の構造と略同一である。即ち、成型品４００は、柔軟層４２０及び基板４４０を含んでいる。基板４４０は、主体部４４２０と、別々に主体部４４２０の両端から折曲延伸する２つの側部４４４０とを含んでいる。柔軟層４４２０は、基板４４０の表面に設置されている。
【００２１】
本発明の第二実施形態に係る成型品１００と比較して、本実施形態に係る成型品４００において、側部４４４０の端面４４４６と側部４４４０の内表面とが接合する部位に切欠部４４４８が設置されている。基板４４０と柔軟層４２０とを接着する場合には、柔軟層４２０の端部を切欠部４４４８内に嵌合し、柔軟層４２０によって基板４４０の端面を被覆する。
【００２２】
本発明の成型品は、携帯電話、ノートパソコン、携帯情報端末などの電子装置のハウジング又は蓋体とすることができ、筆入れ物、コップ、ボックスなどの各種の容器とすることもできる。
【００２３】
本発明の成型品において、柔軟層が基板の端面を被覆するので、柔軟層が外力を受けたとしても、基板から容易に分離することはない。また、外部環境の水分又は埃等も柔軟層と基板との接合部の辺縁から容易に進入することがない。従って、柔軟層が基板から脱落することを防止することができる。
【００２４】
以上、本発明の好適な実施の形態について詳細に説明したが、本発明は上述の実施の形態に限定される訳ではなく、本発明の技術的範囲内で種々の変形又は修正が可能であり、該変形又は修正も本発明の特許請求の範囲内に含まれることは言うまでもない。
【図面の簡単な説明】
【００２５】
【図１】従来の技術のハウジングの断面図である。
【図２】本発明の第一実施形態に係る成型品の断面図である。
【図３】図２のＩＩＩ部分の拡大図である。
【図４】本発明の第二実施形態に係る成型品の断面図である。
【図５】本発明の第三実施形態に係る成型品の断面図である。
【図６】本発明の第四実施形態に係る成型品の断面図である。
【符号の説明】
【００２６】
１０      成型品
１２      柔軟層
１４      基板
１２２    接着面
１４２    主体部
１４４    側部
１４４２  端面
【図１】
2009154539.tif 000003
【図２】
2009154539.tif 000004
【図３】
2009154539.tif 000005
【図４】
2009154539.tif 000006
【図５】
2009154539.tif 000007
【図６】
2009154539.tif 000008